(57)【要約】【課題】実際の競技時の微妙、精妙な操作と同等に、かつ安全に行い得る重量挙げ等の練習用のトレーニングマシンを提供する。【解決手段】基端側を支持フレーム１に上下方向で回動可能に支持した一対のアーム状体２、２、それらの間を連結する連結部材３、ロッド４をケーシング５に出没可能に備えたシリンダ６、ディスク７とバー８でバーベルとして構成されるものからなる。シリンダ６は、ケーシング５の内部に存する液体または気体を自由に通過させ、あるいは通過量を絞る緩衝用の弁９が連結してあり、アーム状体２が上方へ回動するときは抵抗にならず、下方へ回動するときは抵抗となり、アーム状体２の下降速度を緩衝し、使用者の安全を図っている。アーム状体２の先端に取り付けた負荷連結手段である第２のアーム状体１０の自由端にバー８を取り付け、重量挙げ等の微妙な動作、操作に対応させている。【選択図】図３
2011139779.tif 000002
【特許請求の範囲】
【請求項１】
ウエイトリフティング、パワーリフティング等の負荷を押し上げ、持ち上げする動作を行う運動を行うトレーニングマシンにおいて、
支持フレームと、
基端側を前記支持フレームに上下方向で回動可能に支持した一対のアーム状体及び該一対のアーム状体間を連結する長物状の連結部材と、
ロッドをケーシング上方へ出没可能に備えた液圧または空圧で動作するシリンダと、
両端に前記負荷を取り付け得るとともに、前記アーム状体に両端側を支持させたバーとからなり、
前記シリンダの前記ケーシングの下端を前記支持フレームに上下方向で回動可能に取り付けて支持し、
前記シリンダの前記ロッドを、前記一対のアーム状体の中央位置で前記連結部材に取り付け、該取り付け位置を中心に前記シリンダを上下方向で回動可能に連結し、
前記シリンダの前記ケーシング内部に存する液体または気体を自由に通過させあるいは通過量を絞る緩衝用の弁を連結し、
該弁は、前記アーム状体が上方へ回動するときは前記ロッドの前記ケーシングからの突出動作の抵抗にはならず、前記アーム状体が下方へ回動するときは前記ロッドの前記ケーシング内への没入動作の抵抗となり、前記アーム状体の下降速度を緩衝する手段となることを特徴とするトレーニングマシン。
【請求項２】
請求項１に記載のトレーニングマシンにおいて、
前記アーム状体の先端に上下方向で回動可能に取り付ける負荷連結手段を備え、該負荷連結手段に前記バーを取り付けることを特徴とするトレーニングマシン。
【請求項３】
請求項２に記載のトレーニングマシンにおいて、
前記負荷連結手段が、前記アーム状体に上下方向で回動可能に基端を取り付けた第２のアーム状体を備え、該第２のアーム状体の自由端に前記バーを取り付けたことを特徴とするトレーニングマシン。
【請求項４】
請求項１から３のいずれかに記載のトレーニングマシンにおいて、
前記一対のアーム状体が前記支持フレームを挟んで位置し、前記支持フレームが幅広の箱状フレーム体で、該支持フレームの幅寸法と、前記一対のアーム状体間の幅寸法とが、前記バーに取り付ける一対の負荷の間隔とほぼ同等であることを特徴とするトレーニングマシン。
【請求項５】
請求項１から３のいずれかに記載のトレーニングマシンにおいて、
前記一対のアーム状体が前記支持フレームを挟んで位置し、前記支持フレームが幅狭の柱状フレーム体で、該支持フレームの幅寸法が、前記一対のアーム状体間の幅寸法と前記バーに取り付ける一対の負荷の間隔より小さいことを特徴とするトレーニングマシン。
【発明の詳細な説明】
【技術分野】
【０００１】
本発明は、ウエイトリフティング、パワーリフティング等の、負荷を押し上げ、持ち上げする動作を行う運動であって、バーベルまたは類似のバー材を用いてトレーニングを行うためのマシンであって、比較的簡単な構造で運動を安全に行えるトレーニングマシンに関する。
【背景技術】
【０００２】
運動器具の一種として良く知られているものに、バーベル（本出願においては、単にバーベルと記載するときは、バーにカラーや負荷材であるディスク等を取り付けた、バーベルセットのことを意味する。）がある。
【０００３】
バーベルは、バーの両端部分あるいは端部近傍部分に円盤状のウエイト（ディスク）や球状等のウエイトを取り付けた構造を有する。このようなバーベルを肩から上方に持ち上げて腕や肩等の力を鍛えるショルダープレスや、バーベルを肩に担ぎつつ膝を屈伸して脚や腰等の力を鍛えるスクワット、ベンチに仰向けに寝てバーベルを胸から上方に押し上げることで腕や胸、肩等の力を鍛えるベンチプレス、そして、周知のスナッチやクリーン・アンド。ジャークのようなウエイトリフティングのような各種の鍛錬法に用いられる。
【０００４】
ところで、バーベルを用いてトレーニングを行うには、バーベルを支持する装置を用いることが多い（例えば特許文献１参照）。しかしながら、特許文献１の支持装置においては、バーベルの左右のバランスを取りながらバーのウエイトよりも内側部分を両受け金具に慎重に載置させないと、バーベルが落下するおそれがあり、使用者が姿勢を崩した場合にはバーベルの支持が難しく、使用者に危険性が生じる。そこで、特許文献２や特許文献３では、バーベルのバーにリンクやケーブルを連結して、ベンチプレス等の運動ができるようにしながら、バーベルが使用者に向かって落下することを制限するようにした支持装置が開示されている。
【０００５】
しかしながら、これら文献に開示されているバーベル用の支持装置においては、リンクやケーブルを備える分だけ製造コストが上昇し、また、装置が大掛りになるという問題がある。さらに、バーベルを使用する際の運動性や安全性を維持するために、リンク、ケーブルその他の構成部品のメンテナンスが面倒かつ大変であるという問題があった。
【０００６】
さらに特許文献４には、支持機構が各一対の支持部およびベース部を含んで構成されており、支持部がバーに設けられていることによって、支持機構がロッドと一体的に変位するようになっており、その結果、使用者が不意に姿勢を崩した場合にも、ベース部が載置面に載置されることによってウエイトやバーの運動が制限され、ウエイトやバーが使用者に衝撃的に当たることが防止され、バーベルを用いたトレーニングの安全性が有利に向上され得る、とされている。
【先行技術文献】
【特許文献】
【０００７】
【特許文献１】実開昭６２−９２８５２号公報
【特許文献２】実開平５−１５９６９号公報
【特許文献３】特開平７−２４１３５４号公報
【特許文献４】特開２００７−１７５３１９号公報
【非特許文献】
【０００８】
【非特許文献１】「バーベルの軌跡からみた挙上技術の分析 : スナッチ種目の場合」（CiNii  091国C14、日本体育学会大会号  (44B)  pp.632  19931005、伊坂忠夫：立命館大学、岡本直輝：立命館大学、船渡和男：東京大学）
【発明の概要】
【発明が解決しようとする課題】
【０００９】
しかしながら、上述の特許文献４に開示されている装置にあっても、バーベル等を用いた運動を安全に行えるということは言い得ても、例えばウエイトリフティング競技などにおける微妙、精妙なバーベル操作と同じ或いはほぼ同等といえるバーの運動（例えば非特許文献１参照：図８）に安全に対処し得るようになっているかといえば、そうは言えないというのが実状である。また、一応の安全性が図れるとは言え、実際のウエイトリフティング、パワーリフティング等の競技とはまったく異なる構成の装置となり、その点でも改良が望まれるものとなっている。
【課題を解決するための手段】
【００１０】
本発明のトレーニングマシンのうち請求項１に係るものは、ウエイトリフティング、パワーリフティング等の負荷を押し上げ、持ち上げする動作を行う運動を行うトレーニングマシンにおいて、支持フレームと、基端側を前記支持フレームに上下方向で回動可能に支持した一対のアーム状体及び該一対のアーム状体間を連結する長物状の連結部材と、ロッドをケーシング上方へ出没可能に備えた液圧または空圧で動作するシリンダと、両端に前記負荷を取り付け得るとともに、前記アーム状体に両端側を支持させたバーとからなり、前記シリンダの前記ケーシングの下端を前記支持フレームに上下方向で回動可能に取り付けて支持し、前記シリンダの前記ロッドを、前記一対のアーム状体の中央位置で前記連結部材に取り付け、該取り付け位置を中心に前記シリンダを上下方向で回動可能に連結し、前記シリンダの前記ケーシング内部に存する液体または気体を自由に通過させあるいは通過量を絞る緩衝用の弁を連結し、該弁は、前記アーム状体が上方へ回動するときは前記ロッドの前記ケーシングからの突出動作の抵抗にはならず、前記アーム状体が下方へ回動するときは前記ロッドの前記ケーシング内への没入動作の抵抗となり、前記アーム状体の下降速度を緩衝する手段となることを特徴とする。
【００１１】
同請求項２に係るものは、請求項１に記載のトレーニングマシンにおいて、前記アーム状体の先端に上下方向で回動可能に取り付ける負荷連結手段を備え、該負荷連結手段に前記バーを取り付けることを特徴とする。
【００１２】
同請求項３に係るものは、請求項２に記載のトレーニングマシンにおいて、前記負荷連結手段が、前記アーム状体に上下方向で回動可能に基端を取り付けた第２のアーム状体を備え、該第２のアーム状体の自由端に前記バーを取り付けたことを特徴とする。
【００１３】
同請求項４に係るものは、請求項１から３のいずれかに記載のトレーニングマシンにおいて、前記一対のアーム状体が前記支持フレームを挟んで位置し、前記支持フレームが幅広の箱状フレーム体で、該支持フレームの幅寸法と、前記一対のアーム状体間の幅寸法とが、前記バーに取り付ける一対の負荷の間隔とほぼ同等であることを特徴とする。
【００１４】
同請求項５に係るものは、請求項１から３のいずれかに記載のトレーニングマシンにおいて、前記一対のアーム状体が前記支持フレームを挟んで位置し、前記支持フレームが幅狭の柱状フレーム体で、該支持フレームの幅寸法が、前記一対のアーム状体間の幅寸法と前記バーに取り付ける一対の負荷の間隔より小さいことを特徴とする。
【発明の効果】
【００１５】
本発明によれば、簡単な構造でバーベルを用いたトレーニングを安全に行え、かつ実際の競技に近い形態での練習を使用者がなし得るため、競技時の微妙、精妙な操作と同じかほぼ同等といえる操作を安全に行い得るという効果がある。
【図面の簡単な説明】
【００１６】
【図１】本発明に係るトレーニングマシンの第１の実施例を示す概念的斜視図
【図２】同背面図
【図３】同断面側面図
【図４】同平面図
【図５】緩衝用の弁とシリンダとの配管構成を示す図
【図６】本発明に係るトレーニングマシンの第２の実施例を示す概念的斜視図
【図７】同背面図
【図８】ウエイトリフティングにおけるバーベルの軌跡を示す図
【発明を実施するための形態】
【００１７】
本発明のトレーニングマシンの実施形態を図に示す実施例を参照して説明する。なお、以下に本発明の実施例として図面に示すトレーニングマシンは単なる一例であって、本発明が図示の例の装置に限定されることはなく、本発明は種々同等の装置に適用可能である。
【実施例】
【００１８】
＜実施例１＞
本発明の実施例１を、図１から図４を参照して説明する。図１は本発明に係るトレーニングマシンの第１の実施例を概念的に示す斜視図、図２はその背面図、図３は断面側面図、そして図４は平面図である。なお図４において、負荷であるディスク等の図示は省略してある。
【００１９】
本発明のトレーニングマシンは、ウエイトリフティング、パワーリフティング等の負荷を押し上げ、持ち上げする動作を行う運動を行うトレーニングマシンであり、主に、支持フレーム１と、基端側を支持フレーム１に上下方向（図４では紙面垂直方向になっている）で回動可能に支持した一対のアーム状体２、２と、これらアーム状体２、２の間を連結する長物状の連結部材３と、ロッド４をケーシング５から上方へ突出可能に、またケーシング５内へ没入可能に備えた液圧または空圧で動作するシリンダ６と、両端に負荷となるディスク７、７を取り付け得るとともに、アーム状体２、２に両端側を支持させたバー８とから構成してある。バー８にディスク７などを取り付ければ、いわゆるバーベルとして構成される。トレーニングの内容によっては、バー８のみで行う場合も考えられ、本発明はそのような使用形態も許容するものである。
【００２０】
シリンダ６は、ケーシング５の下端を支持フレーム１に上下方向で回動可能に取り付けて支持し（支持点５ａ）、ロッド４を一対のアーム状体２、２の幅方向中央位置でかつアーム状体２の連結部材３への取り付け位置の若干前方側（ディスク７やバー８側）で取り付けてあり（取り付け点５ｂ）、支持位置５ａを中心にシリンダ６は上下方向で回動可能にしてある。
【００２１】
そして、シリンダ６のケーシング５の内部に存する液体または気体を自由に通過させ、あるいは通過量を絞る緩衝用の弁９が配管により連結してある。
【００２２】
弁９は、図１〜図４ではいずれも図示を省略してあるが、図５に示すように、例えば流量制御弁、詳細には例えばスロットルチェックバルブが適する。そして、アーム状体２、２が上方へ回動するとき、すなわち使用者がバーベルを持ち上げるときはロッド４がケーシング５から突出する動作、換言すればそのような動作を行わせる液体または気体の作用の抵抗にはならず、アーム状体２が下方へ回動するときはロッド４がケーシング５内へ没入する動作の抵抗となり、すなわち液体または気体がケーシング５内でスムーズに移動しないように絞ってアーム状体２の下降速度を緩衝する手段となる。
【００２３】
さらに、アーム状体２の先端には、上下方向で回動可能に負荷連結手段を取り付けて備えている。この負荷連結手段にバー８を取り付けるのであるが、この負荷連結手段は、アーム状体２に上下方向で回動可能に基端を取り付けた第２のアーム状体１０を備え、この第２のアーム状体１０の自由端にバー８を取り付けるように構成してある。
【００２４】
第２のアーム状体１０は、図示のようにアーム状の部材に直交方向で突出させて設けた突部１０ａをアーム状体２の先端に上下方向で回動可能に軸支してある。図中１１は第２のアーム状体１０をアーム状体２に取り付けるための接続部材である。
【００２５】
なお本実施例１では、一対のアーム状体２、２が支持フレーム１を挟んで位置し、図示のように支持フレーム１が幅広の箱状フレーム体で、支持フレーム１の幅寸法と、一対のアーム状体２、２間の幅寸法とが、バー８に取り付ける一対のディスクの間隔（内法寸法）とほぼ同等として構成してある。
【００２６】
このような構成とすることにより、単にアーム状体１１が上下方向で回動するだけでなく、第２のアーム状体１１の上下方向での回動が加わって使用者の複雑な動作にも対応でき、それによって図８に示すような微妙な動き、特に使用者の体の前後方向（支持フレーム１に対する前後方向でもある）での微細な動きに対応した作用を奏するものとなる。
【００２７】
＜実施例２＞
本発明の実施例２を、図６、図７に示す。図６は本発明に係るトレーニングマシンの第２の実施例を概念的に示す斜視図、図７はその背面図である。
【００２８】
本実施例が実施例１と異なる点は、支持フレーム１の幅寸法である。すなわち、支持フレーム１が図示のように幅狭の柱状フレーム体で、支持フレーム１の幅寸法が、一対のアーム状体２、２間の幅寸法とバーに取り付ける一対の負荷の間隔より小さい。このような構造とすることで、最大耐荷重値は小さくなるが、コストダウンを図れる。
【符号の説明】
【００２９】
１：支持フレーム
２：アーム状体
３：連結部材
４：ロッド
５：ケーシング
６：シリンダ
７：ディスク
８：バー
９：弁
１０：第２のアーム状体
１１：接続部材
【図１】
2011139779.tif 000003
【図２】
2011139779.tif 000004
【図３】
2011139779.tif 000005
【図４】
2011139779.tif 000006
【図５】
2011139779.tif 000007
【図６】
2011139779.tif 000008
【図７】
2011139779.tif 000009
【図８】
2011139779.tif 000010